(57)【要約】      （修正有）【課題】苗の周りを囲む風除けの支柱の位置決めを容易にすることができ、また、風除けに使用する袋の大きさに応じて容易に支柱を立てることを可能とする定規を提供する。【解決手段】苗の周りを囲む風除けを設ける際の風除け配置用の定規１００であって、前記苗よりも大きい円板１０１上に、中心穴１０２と中心穴１０２の周囲を囲む複数の穴１１１〜１１４、１２１〜１２４、１３１〜１３４、１４１〜１４４とを有し、複数の穴１１１〜１１４、１２１〜１２４、１３１〜１３４、１４１〜１４４は円板１０１上で中心穴１０２を中心として、所定の複数の矩形１２０、１３０、１４０のそれぞれの頂点が位置するように配置され、複数の矩形１２０、１３０、１４０は苗よりも大きく、且つ互いに異なるサイズを有することを特徴とする。【選択図】図２
0003208607.tif 000002
【実用新案登録請求の範囲】
【請求項１】
苗の周りを囲む風除けを設ける際の風除け配置用の定規であって、
前記苗よりも大きい基板上に、中心穴と、前記中心穴の周囲を囲む複数の穴とを有し、
前記複数の穴は、前記基板上で前記中心穴を中心として、所定の複数の矩形のそれぞれの頂点が位置するように配置され、
前記複数の矩形は、前記苗よりも大きく、且つ互いに異なるサイズを有することを特徴とする風除け配置用の定規。
【請求項２】
請求項１に記載の風除け配置用の定規において、
前記複数の穴は、複数組の穴を含み、
各組の穴は、それぞれの矩形の頂点に対応することを特徴とする風除け配置用の定規。
【考案の詳細な説明】
【技術分野】
【０００１】
本考案は、生育中の苗の周りを囲む風除けを設ける際に使用する風除け用の定規に関し、特に、農家において野菜等の苗を生育するために用いられる風除け用の定規に関する。
【背景技術】
【０００２】
特許文献１では、苗木を育成する際において一般的に用いられる肥料等の空き袋を用いて安価に、作業性良く苗木の囲いを形成することが可能な育苗用枠体が開示されている。
具体的には、一端が支柱に固定され、他端が地面に埋没される脚部を備える固定フレームと、支柱の一部に設けられた回転ヒンジに一端が固定され、多端が地面に埋没される脚部を備える可動フレームと、を具備する育苗用枠体が開示されている。
【先行技術文献】
【特許文献】
【０００３】
【特許文献１】実用新案登録第３１７０３８９号公報
【考案の概要】
【考案が解決しようとする課題】
【０００４】
特許文献１では、固定フレームと可動フレームから成る一対の枠体部の外周側を筒状に覆うようにシート材が装着されて、該シート材の装着作業は簡易にできることが開示されている。しかしながら、一般的に畑に多数の野菜苗を植え付ける場合、苗と同数個の枠体が必要となってしまう。
【０００５】
本考案は、苗の周りを囲む風除けの支柱の位置決めを容易にすることができ、また、風除けに使用する袋の大きさに応じて、容易に支柱を立てることを可能とする定規を提供することを目的とする。
【課題を解決するための手段】
【０００６】
第１の考案は、苗の周りを囲む風除けを設ける際の風除け配置用の定規であって、
前記苗よりも大きい基板上に、中心穴と、前記中心穴の周囲を囲む複数の穴とを有し、
前記複数の穴は、前記基板上で前記中心穴を中心として、所定の複数の矩形のそれぞれの頂点が位置するように配置され、
前記複数の矩形は、前記苗よりも大きく、且つ互いに異なるサイズを有することを特徴とする。
【０００７】
第２の考案は、第１の考案に記載の風除け配置用の定規において、
前記複数の穴は、複数組の穴を含み、
各組の穴は、それぞれの矩形の頂点に対応することを特徴とする。
【考案の効果】
【０００８】
本考案によると、苗の周囲に風除けの囲いを設ける際に、所望の風除けの大きさに応じて、風除けの支柱を容易に立てられて、効率的に苗に風除けを設置することができる。
【図面の簡単な説明】
【０００９】
【図１】本考案の一実施形態に係る風除け配置用定規を使用して苗に風除けを設けた様子を示す斜視図である。
【図２】本考案の一実施形態に係る風除け配置用の定規の構成を示す平面図である。
【図３】風除け配置用の定規の別の実施形態を示す平面図である。
【考案を実施するための形態】
【００１０】
風の強い地域や季節などに、苗に風除けの囲いを設置することは農家では一般的に行われている。農家らが苗を植える場合、風除けの囲いを設けることによって、苗の定植が促され苗の順調な生育が助けられると期待できる。農家では、畑に沢山の苗を植えるが、それぞれの苗の周りに個別に風除けの囲いは設けられることとなる。そのため風除け設置作業を効率よくすることが求められていた。
【００１１】
そこで本考案者は、所望の風除けの囲いの大きさに応じて、効率的に囲いの支柱を地面に立てることを可能とする、風除け配置用の定規を製作することを着想した。
【００１２】
以下、本考案の一実施形態に係る風除け配置用定規を、図面を用いて説明する。
【００１３】
図１は、本考案の一実施形態に係る風除け配置用定規を使用して、苗に風除けの囲いを設けた様子を示す斜視図である。
【００１４】
図１に示すように、風除け２００は、４本の支柱２０１と上下開口のビニール袋２０２とを備える。風除け２００は、野菜等の苗２１０の生育を助けるために、苗２１０を囲むものである。苗２１０は、畑やプランターなどの地面に植えられる。ビニール袋２０２は、例えば市販の肥料や土の入っていた袋を再利用することができる。図１に示すように、風除け２００は、４本の支柱２０１と上下開口のビニール袋２０２によって、行灯状に形成されている。以下、風除け２００を「風除けアンドン」という。
【００１５】
本実施の形態に係る風除け配置用の定規１００は、風除けアンドン２００を苗２１０の周囲に設ける際に、風除けアンドン２００を支持する支柱２０１を差し込む穴を有し、また、風除けアンドンの大きさに応じて構成される穴の組を有することを特徴としている。本実施の形態に係る風除け配置用の定規１００は、苗の周りに風除けアンドン２００の支柱２０１を位置決めするために使用される。以下、風除け配置用の定規１００の構成を説明する。
【００１６】
図２は、風除け配置用の定規の構成を示す平面図である。本実施の形態に係る風除け配置用の定規１００は、図２に示すように円板１０１で構成される。円板１０１は、例えば段ボール製である。また、円板１０１は厚紙硬質紙製やプラスティック製、木製であっても良い。
【００１７】
図２において、風除け配置用定規１００は、円板１０１上に、中心穴１０２と、複数の穴１１１〜１１４、１２１〜１２４、１３１〜１３４、１４１〜１４４とを有する。前記複数の穴は、第１組の穴１１１〜１１４と、第２組の穴１２１〜１２４と、第３組の穴１３１〜１３４と、第４組の穴１４１〜１４４という複数組の穴を含んでいる。
【００１８】
第１〜第４組の穴１１１〜１１４、１２１〜１２４、１３１〜１３４、１４１〜１４４は、それぞれ第１〜第４の正方形１１０、１２０、１３０、１４０を規定する。前記各正方形は、第１、第２、第３、第４の正方形の順番に大きくなるサイズを有する。
【００１９】
各組の穴１１１〜１１４、１２１〜１２４、１３１〜１３４、１４１〜１４４は、円板上で中心穴１０２を中心として、第１〜第４の正方形１１０〜１４０のそれぞれの頂点が位置するように配置されている。また、それぞれの組の穴１１１〜１１４、１２１〜１２４、１３１〜１３４、１４１〜１４４は、等間隔に並んでいる。
【００２０】
なお、図２に示される第３組の穴１３１〜１３４及び第４組の穴１４１〜１４４は、基板上で凹部を形成しているが、本明細書では穴という。また、それぞれの穴の大きさは、支柱の直径よりも大きい。
【００２１】
図２に示される大きさの異なる４つの正方形１１０〜１４０において、１つの正方形に対応する１組の穴それぞれに４本の支柱を差し込むことにより、風除け配置用定規１００の支柱２０１を効率良く位置決めできる。図２の風除け配置用定規１００では４つの大きさの異なる正方形が選択でき、４種類の大きさの風除けアンドン２００を設けることが可能になる。風除け配置用定規１００においては、正方形１１０〜１４０は実際に記しても良い。また、風除け配置用定規１００における正方形の数は４つに限らず、任意の複数個の正方形を規定しても良い。
【００２２】
次に、図１及び図２を用いて、本考案の一実施形態に係る風除け配置用定規１００を使用して、苗に風除けアンドン２００を設ける方法を説明する。
【００２３】
まず、ビニール袋２０２を用意する。市販されている肥料や土の空き袋等のビニール袋を苗の風除けとして再利用するために、袋の下を切って袋の上下を開口にする。この際、ビニール袋の大きさに応じて、第１〜第４の正方形１１０〜１４０から使用する正方形を選択する。具体的には、用意したビニール袋を開口の辺に垂直になるように二つ折にして、その折り畳まれた開口部分の長さが、風除け配置用定規１００上に記載されている正方形の１辺の長さと一致する正方形を選択する。その選択した正方形の頂点の穴を使って、以後の支柱を立てる作業を行うことになる。
【００２４】
次に、苗２１０（図１）を植える位置の中心に、例えば市販の直径約１０ｍｍの支柱または杭を、地面に略垂直になるように立てる。さらに、本考案の風除け配置用定規１００の中心の穴１０２に、該支柱（「中央の支柱」とも言う）を通して、地面上に定規を配置する。図１に示されるように、選ばれた正方形の頂点の４つの穴１１１〜１１４が、苗２１０の植付け方向に平行になるように、風除け配置用定規１００を配置する。なお、図１では、選択していない他の穴の図示を省略している。
【００２５】
次に、４本の支柱２０１を、風除け配置用定規１００上の該４つの穴１１１〜１１４の中に通して、地面に差し込む。このとき支柱は、図２に示されるように、ビニール袋の大きさに応じて選択した正方形の頂点の１組の穴それぞれの内側よりに差し込まれる。また、各支柱２０１は、風除け配置用定規１００の中心穴１０２に差し込まれた中央の支柱に対して、所定角度分、外側に傾くように地面に差し込まれる。
【００２６】
次に、中心穴１０２に差し込まれた中央の支柱を抜いて、つぎに風除け配置用定規１００を、上に引き上げて、４本の支柱２０１から定規１００を取り外す。つぎに、中心穴１０２に差し込まれた中央の支柱を抜いた位置に、苗２１０を植え付ける。
【００２７】
最後に、ビニール袋２０２を４本の支柱２０１の外側に、上から被せて地面まで下ろし、図１に示されるように、風除けアンドン２００が完成となる。
【００２８】
以上のように、本実施形態に係る風除け配置用定規１００は、苗２１０の周りを囲む風除けアンドン２００を設ける際の風除け配置用の定規である。風除け配置用定規１００は、前記苗２１０よりも大きい基板１０１上に、中心穴１０２と、前記中心穴１０２の周囲を囲む複数の穴１１１〜１１４、１２１〜１２４、１３１〜１３４、１４１〜１４４とを有する。前記複数の穴は、前記基板１０１上で前記中心穴１０２を中心として、所定の複数の矩形１１０、１２０、１３０、１４０のそれぞれの頂点が位置するように配置される。前記複数の矩形１１０〜１４０は、前記苗２１０よりも大きく、且つ互いに異なるサイズを有する。
【００２９】
以上の風除け配置用定規１００によると、苗２１０の周囲に効率的に風除けの支柱２０１を立てられて、容易に所望の大きさの風除け２００を設置することができる。
【００３０】
本実施形態に係る風除け配置用定規１００は、前記複数の穴１１１〜１１４、１２１〜１２４、１３１〜１３４、１４１〜１４４は、複数組の穴を含む。各組の穴は、それぞれの矩形１１０、１２０、１３０、１４０の頂点に対応する。
【００３１】
以上の風除け配置用定規１００によると、苗２１０の周囲に容易に風除けの支柱２０１を立てられて、効率的に苗に所望の大きさの風除け２００を設置することができる。
【００３２】
なお、図２では、風除け配置用定規１００における穴を円形で図示したが、穴の形状は特に限定されない。例えば、卵形や三角形、四角形など、種々の形状が穴の形状として採用されても良い。
【００３３】
以上の実施の形態においては、風除け配置用定規１００の一例を説明したが、本考案はこれに限定されない。以下、風除け配置用定規１００の変形例を、図３を参照して説明する。
【００３４】
図３は、風除け配置用の定規の別の実施形態を示す平面図である。本実施の形態に係る風除け配置用の定規３００は、図３に示すように矩形状に形成される。なお、基板の形状は矩形に限らない。基板３０１は、例えばプラスティック製である。
【００３５】
図３の風除け配置用定規３００は、基板３０１とスライドリング３２０を備える。基板３０１上には４個の長穴３１１〜３１４が設けられている。スライドリング３２０はそれぞれ長穴３１１〜３１４に嵌合している。長穴３１１〜３１４は、中心穴１０２の周囲において、中心穴１０２を中心とする正方形１１０、１２０の対角線上に配置されている。長穴３１１〜３１４の中でスライドリング３２０をスライドさせることにより、図３に例示する２種類のサイズの正方形１１０、１２０のように、種々のサイズの正方形の頂点に、支柱２０１を配置することができる。
【００３６】
以上のように、別の実施形態に係る風除け配置用定規３００は、苗２１０の周りを囲む風除けアンドン２００を設ける際の風除け配置用の定規の変形例である。風除け配置用定規３００は、前記苗２１０よりも大きい基板３０１上に、中心穴１０２と、前記中心穴１０２の周囲を囲む長穴３１１〜３１４を有する。前記長穴３１１〜３１４は、前記基板３０１上で前記中心穴１０２を中心として、所定の複数の矩形１１０、１２０のそれぞれの頂点が位置するように配置される。前記複数の矩形１１０〜１２０は、前記苗２１０よりも大きく、且つ互いに異なるサイズを有する。
【００３７】
以上の風除け配置用定規３００によると、長穴３１１〜３１４中のスライドリング３２０を用いて、苗２１０の周囲に効率的に風除けの支柱２０１を立てられて、容易に所望の大きさの風除け２００を設置することができる。
【００３８】
以上の説明では、風除け配置用定規１００、３００において正方形を用いたが、正方形に限らず長方形、ひし形、平行四辺形、台形などの種々の矩形を用いても良い。この場合前記複数の穴は、前記基板上で前記中心穴を中心として、採用する矩形のそれぞれの頂点が位置するように配置する。
【符号の説明】
【００３９】
１００      風除け配置用定規
１０１      円板
１０２      中心穴
１１０      第１の正方形
１１１、１１２、１１３、１１４      第１組の穴
１２０      第２の正方形
１２１、１２２、１２３、１２４      第２組の穴
１３０      第３の正方形
１３１、１３２、１３３、１３４      第３組の穴
１４０      第４の正方形
１４１、１４２、１４３、１４４      第４組の穴
２００      風除け
２０１      支柱
２０２      ビニール袋
２１０      苗
３００      風除け配置用定規
３０１      基板
３１１、３１２、３１３、３１４      複数の長穴
３２０      スライドリング
【図１】
0003208607.tif 000003
【図２】
0003208607.tif 000004
【図３】
0003208607.tif 000005